(57)【要約】【課題】作業台の桁側端部及び橋架用天板の桁側端部に沿って仮設される手摺りを堅固に且つ安定状態に保つようにするための仮設手摺りの連結補強装置を提供する。【解決手段】天板１の両端部に梯子状脚体２を取り付けてなる複数の作業台Ｓの妻側端部間及び又は桁側端部間に橋架用天板Ｋを橋架し、作業台Ｓの天板１の桁側端部及び橋架用天板Ｋの桁側端部に沿って手摺り７を仮設するにあたり、作業台Ｓの脚体２に立設された手掛り棒４と、これと隣り合う手摺り７の縦材２５とを連結して、手摺り７を補強するための連結補強装置であって、手掛り棒４及び手摺り７の縦材２５を夫々単独で嵌挿可能な複数の嵌挿用筒部１３ａ〜１３ｄが互いに隣接して一列状に並ぶように一体に形成されてなる連結具１２を備え、この連結具１２の嵌挿用筒部１３ａ〜１３ｄに連結すべき手摺り７の縦材２５と手掛り棒４とを嵌挿して連結するようにした。【選択図】図２
2007285036.tif 000002
【特許請求の範囲】
【請求項１】
天板の両端部に梯子状脚体を取り付けてなる複数の作業台の妻側端部間及び又は桁側端部間に橋架用天板を橋架し、作業台の天板の桁側端部及び橋架用天板の桁側端部に沿って手摺りを仮設するにあたり、作業台の脚体に立設された手掛り棒と、これと隣り合う手摺りの縦材とを連結して、手摺りを補強するための連結補強装置であって、手掛け棒及び手摺りの縦材を夫々単独で嵌挿可能な複数の嵌挿用筒部が互いに隣接して一列状に並ぶように一体に形成されてなる連結具を備え、この連結具の嵌挿用筒部に連結すべき手摺りの縦材と手掛り棒とを嵌挿して連結するようにしたことを特徴とする仮設手摺りの連結補強装置。
【請求項２】
前記連結具は、４つの嵌挿用筒部が互いに隣接して一列状に並ぶように一体に形成されてなることを特徴とする請求項１に記載の仮設手摺りの連結補強装置。
【発明の詳細な説明】
【技術分野】
【０００１】
本発明は、夫々天板の両端部に梯子状脚体を取り付けてなる複数の作業台の妻側端部間及び又は桁側端部間に橋架用天板を橋架し、作業台の天板の桁側端部及び橋架用天板の桁側端部に沿って手摺りを仮設するにあたり、作業台の脚体に立設された手掛り棒と、これと隣り合う手摺りの縦材とを連結して、手摺りを補強するようにした仮設手摺りの連結補強装置に関するものである。
【背景技術】
【０００２】
従来より、作業台を複数配置し、その隣り合う作業台の妻側端部間及び又は桁側端部間に橋架用天板を橋架して、作業台の桁側端部及び橋架用天板の桁側端部に沿って手摺りを仮設する場合、各手摺りは、手摺り支柱の下端部を、固定金具によって作業台の天板及び橋架用天板の天板本体に取付け固定するようにしている。しかして、通常使用されている固定金具は、作業台や橋架用天板の天板の端部にコ字状本体を嵌合させて、このコ字状本体と天板端部とを上下に貫通するピンで固定するだけの簡単な構造のものであるため、作業者が作業台の上を歩いたり作業をしたりする時の作業台の振動などにより、手摺りは、その支柱等が揺れたり、ガタついたりするといった不安定な状態となっていた。
【発明の開示】
【発明が解決しようとする課題】
【０００３】
そこで、本発明は、作業台の桁側端部及び橋架用天板の桁側端部に沿って仮設される手摺りを堅固にして且つ安定状態に保つようにするための仮設手摺りの連結補強装置を提供することを目的とする。
【課題を解決するための手段】
【０００４】
上記課題を解決するための手段を、後述する実施形態の参照符号を付して説明すると、請求項１に係る発明の仮設手摺りの連結補強装置は、天板１の両端部に梯子状脚体２を取り付けてなる複数の作業台Ｓの妻側端部間及び又は桁側端部間に橋架用天板Ｋを橋架し、作業台Ｓの天板１の桁側端部及び橋架用天板Ｋの桁側端部に沿って手摺り７を仮設するにあたり、作業台Ｓの脚体２に立設された手掛り棒４と、これと隣り合う手摺り７の縦材２５とを連結して、手摺り７を補強するための連結補強装置であって、手掛り棒４及び手摺り７の縦材２５を夫々単独で嵌挿可能な複数の嵌挿用筒部１３ａ〜１３ｄが互いに隣接して一列状に並ぶように一体に形成されてなる連結具１２を備え、この連結具１２の嵌挿用筒部１３ａ〜１３ｄに連結すべき手摺り７の縦材２５と手掛り棒４とを嵌挿して連結するようにしたことを特徴とする。
【０００５】
請求項２は、請求項１に記載の連結具において、４つの嵌挿用筒部１３ａ，１３ｂ，１３ｃ，１３ｄが互いに隣接して一列状に並ぶように一体に形成されてなることを特徴とする。
【発明の効果】
【０００６】
上記解決手段による発明の効果を、後述する実施形態の参照符号を付して説明すると、請求項１に係る発明の連結補強装置によれば、作業台Ｓ及び橋架用天板Ｋの桁側端部沿いに手摺り７を仮設する際、連結具１２の嵌挿用筒部１３ａ〜１３ｄに、連結すべき手摺り７の縦材２５と手掛り棒４とを嵌挿して連結することによって、手摺り７を、作業台Ｓ上及び橋架用天板Ｋ上に夫々堅固にして且つ安定状態に保持することができる。
【０００７】
請求項２に係る発明の連結具のように、４つの嵌挿用筒部１３ａ，１３ｂ，１３ｃ，１３ｄが互いに隣接して一列状に並ぶように一体に形成されたものによれば、手掛り棒４と手摺り７の縦材２５とを有効に連結することができると共に、連結具１２の長さが不必要に長くならず、使用時に手摺り７の他の縦桟と干渉するような不都合がない。
【発明を実施するための最良の形態】
【０００８】
以下に本発明の好適な実施形態について図面を参照しながら説明すると、図１は、前後左右に夫々一定間隔をおいて配置された複数台の作業台Ｓ、及びこれらの作業台Ｓの妻側端部間及び桁側端部間に夫々橋架された複数の橋架用天板Ｋを示す平面図であり、図２はその正面図である。図３の(a) は作業台Ｓの正面図、(b) はその平面図であり、図４は同作業台Ｓの側面図である。
【０００９】
作業台Ｓは、図３及び図４から分かるように、天板１の両端部に梯子状の脚体２，２を夫々回転連結金具３を介して折り畳み自在に取り付けてなるもので、各梯子状脚体２は、一対の側枠２ａ，２ａと両側枠２ａ，２ａ間に横架された複数の踏杆２ｂ…とからなり、各側枠２ａの上端部には、手掛り棒４が、既に知られている回転取付金具２０によって、図示のように鉛直状に起立した起立姿勢（図３及び図４参照）と、起立姿勢から１８０°下向きに反転して側枠２ａに添うように収納される収納姿勢（図示省略）とに姿勢変更自在に取り付けられている。
【００１０】
橋架用天板Ｋは、天板本体５と、この天板本体５の両妻側端部に夫々取り付けられた妻側端部金具６，６とからなるもので、妻側端部金具６の先端部を作業台Ｓの妻側端部又は桁側端部上に載置させた状態で橋架用天板連結ピン３２を天板本体５側に掛け渡すことによって、作業台Ｓに固定されるようになっている。
【００１１】
作業台Ｓの天板１及び橋架用天板Ｋの天板本体５にはその桁側端部に沿って手摺り７が仮設されている。この仮設用手摺り７は、図５の(a) に示すように、両側の手摺支柱２２，２２（縦材）と、両手摺支柱２２，２２をつなぐ上下の横杆２３、２４と、両手摺支柱２２，２２の夫々外方側に張り出して、上端部が上部横杆２３の両端部に夫々接続される張出縦杆２５，２５（縦材）と、各張出縦杆２５の下端部を手摺支柱２２に連結する連結ぎ用横杆２６と、からなるもので、各手摺支柱２２の下端部には固定金具８が取り付けられている。
【００１２】
各固定金具８は、図５の(d) から分かるように、作業台Ｓあるいは橋架用天板Ｋの桁側端部に嵌合するコ字状本体９と、このコ字状本体９の背面側に一体的に連結されていて、手摺支柱２２の下端部にボルト２７等で取り付けられた取付部材１０と、コ字状本体９に設けてある貫通孔１９と作業台Ｓの天板１や橋架用天板Ｋの天板本体５の桁側端部に設けてある貫通孔２０とにわたってに挿通される固定ピン１１と、からなるもので、固定ピン１１は、取付リング２８及び鎖等の索体２９によって取付部材１０につながれている。
【００１３】
図１〜図３において、１２は本発明に係る連結補強装置の主要な構成要素である連結具で、この連結具１２は、図３に示される実施形態においては、作業台Ｓの梯子状脚体２に立設された手掛り棒４と、この手掛り棒４と隣り合う作業台Ｓに設置された手摺り７の張出縦杆２５（縦材）とを互いに連結するようになっている。
【００１４】
上記連結具１２はアルミ押出型材からなるもので、図６の(a) 及び(b) に示すように、４つの嵌挿用筒部１３ａ，１３ｂ，１３ｃ，１３ｄが互いに隣接して一列状に並ぶように一体に形成されており、例えば図６の(a) の左端に示される嵌挿用筒部１３ａは略角筒状を成し、その右側の嵌挿用筒部１３ｂは円筒状を成し、またその右側の嵌挿用筒部１３ｃは略角筒状を成し、右端の嵌挿用筒部１３ｄは嵌挿用筒部１３ｂよりも若干径大の円筒状を成している。そして図６の(a) に示すように、嵌挿用筒部１３ａは手掛り棒４を余裕をもって嵌挿し得る大きさに形成され、また嵌挿用筒部１３ｂ及び嵌挿用筒部１３ｃは夫々手摺り７の張出縦杆２５をきっちり嵌挿し得る大きさに形成され、また嵌挿用筒部１３ｄは手掛り棒４をきっちり嵌挿し得る大きさに形成されている。
【００１５】
この連結具１２の使用にあたっては、手摺り７を組み立てる前に左右両端の縦材である張出縦杆２５を予め円筒状の嵌挿用筒部１３ｂに回転可能に嵌挿しておいて、この状態で手摺り７を組み立て、図５の(a) に示すように手摺り７の張出縦杆２５の下端部に連結具１２を取り付けた状態とする。
【００１６】
図７の(a) は図１の矢印イで示す部分の拡大図で、本発明に係る連結具１２が、作業台Ｓの梯子状脚体２に立設された手掛り棒４と、これと隣り合う橋架用天板Ｋ上に設置された手摺り７の張出縦杆２５（縦材）とを連結することによって、橋架用天板Ｋ側の手摺り７を補強した状態を示す。この連結具１２の使用に際しては、橋架用天板Ｋ上に手摺り７を設置した後、この手摺りの張出縦杆２５に予め取り付けている連結具１２を、作業台Ｓ側の手掛り棒４よりも高く持ち上げるようにすることにより、作業台Ｓ側の手掛り棒４に嵌め込んで取り付けることができる。しかして、作業台Ｓ側の手掛り棒４と橋架用天板Ｋに設けられた手摺り７の張出縦杆２５とを連結具１２で連結することによって、橋架用天板Ｋ上の手摺り７を堅固にして且つ安定状態に保持することができる。
【００１７】
図７(b) は図１の矢印ロで示す部分の拡大図であり、ここでは、一つの連結具１２が、作業台Ｓの梯子状脚体２に立設された手掛り棒４と、同じ作業台Ｓに設置された手摺り７の張出縦杆２５（縦材）とを連結すると共に、他の連結具１２が、前記手掛り棒４と、これと隣り合う橋架用天板Ｋ上に設置された手摺り７の張出縦杆２５（縦材）とを連結し、それにより手掛り棒４を挟んで隣り合う作業台Ｓ側の天板１と橋架用天板Ｋ側の手摺り７とを同時に補強した状態を示す。これら二つの連結具１２，１２は、図２から分かるように、手掛り棒４、及びこの手掛り棒４を挟んで両側に位置する手摺り７の張出縦杆２５，２５に対し、上下に段違い状に位置している。
【００１８】
図７の(b) の場合の連結具１２の使用については、二つの連結具１２，１２の図２に関して上段側の連結具１２は、互いに隣接する嵌挿用筒部１３ａと嵌挿用筒部１３ｂとに、作業台Ｓに立設された手掛り棒４と橋架用天板Ｋに設置された手摺り７の張出縦杆２５とを嵌挿させ、下段側の連結具１２は、上段側の連結具１２を水平回りに１８０°反転したような状態で、その互いに隣接する嵌挿用筒部１３ａと嵌挿用筒部１３ｂとに、作業台Ｓに立設された手掛り棒４と作業台Ｓに設置された手摺り７の張出縦杆２５とを嵌挿させている。こうして手掛り棒４と手摺り７の張出縦杆２５とを連結具１２で連結することによって、橋架用天板Ｋ上の手摺り７及び作業台Ｓ上の手摺り７を夫々堅固にして且つ安定状態に保持することができる。
【００１９】
以上説明した実施形態では、連結具１２が、作業台Ｓの脚体２に立設された手掛り棒４と、これと隣り合う作業台Ｓ上の手摺り７の縦材２５又は橋架用天板Ｋ上の手摺り７の縦材２５との２つの部材４，２５を連結する場合を示したが、本発明に係る連結具１２は、作業台Ｓの脚体２に立設された手掛り棒４と、同じ作業台Ｓ上の手摺り７の縦材２５と、橋架用天板Ｋ上の手摺り７の縦材２５との、互いに隣り合う３つの部材４，２５，２５を連結することも可能である。
【００２０】
この実施形態の連結具１２では、４つの嵌挿用筒部１３ａ，１３ｂ，１３ｃ、１３ｄを互いに隣接して一列状に並ぶように一体に形成したものであるが、３つの嵌挿用筒部を互いに隣接して一列状に並ぶように一体に形成したものでも、作業台Ｓの脚体２に立設された手掛り棒４と、これと隣り合う作業台Ｓ上の手摺り７の縦材２５及び又は橋架用天板Ｋ上の手摺り７の縦材２５とを連結することができる。但し、この実施形態のように４つの嵌挿用筒部１３ａ，１３ｂ，１３ｃ、１３ｄを互いに隣接して一列状に並ぶように一体に形成したものによれば、図７の(b) に示されるように、手掛り棒４、及びこの手掛り棒４を挟んで両側に位置する手摺り７の張出縦杆２５，２５に対し、上下に段違い状に取り付けて使用できるなど、手掛り棒４と手摺り７の張出縦杆２５等の縦桟とを有効に連結することができると共に、連結具１２の長さが不必要に長くならず、使用時に手摺り７の他の縦桟と干渉するような不都合がない。
【００２１】
以上説明した実施形態では、作業台Ｓや橋架用天板Ｋに設置される手摺り７がその両端側に夫々張出縦杆２５を有するために、この張出縦杆２５と作業台Ｓ側の手掛り棒４とにわたって連結具１２を取り付けているが、このような張出縦杆２５を有しない手摺り７の場合はその両端側に位置する手摺り支柱その他の縦杆と、作業台Ｓ側の手掛り棒４とにわたって連結具１２を取り付ければよい。
【図面の簡単な説明】
【００２２】
【図１】前後左右に夫々一定間隔をおいて配置される複数の作業台、及びこれらの作業台の妻側端部間及び桁側端部間に夫々橋架された複数の橋架用天板を示す平面図である。
【図２】図１に示す作業台及び橋架用天板の正面図である。
【図３】(a) は作業台の正面図、(b) はその平面図である。
【図４】作業台の側面図である。
【図５】(a) は手摺りの正面図、(b) は平面図、(c) は側面図、(d) は固定金具による天板又は天板本体への手摺支柱の取付構造を示す断面図である。
【図６】連結具の拡大平面図、(b) は正面図である。
【図７】(a) は図１の矢印イで示す部分の拡大図、(b) は図１の矢印ロで示す部分の拡大図である。
【符号の説明】
【００２３】
Ｓ                  作業台
Ｋ                  橋架用天板
１                  天板
２                  脚体
４                  手掛り棒
５                  橋架用天板の天板本体
７                  手摺り
１２                連結具
１３ａ〜１３ｄ      嵌挿用筒部
２２                手摺りの手摺支柱（縦材）
２５                手摺りの張出縦杆（縦材）
【図１】
2007285036.tif 000003
【図２】
2007285036.tif 000004
【図３】
2007285036.tif 000005
【図４】
2007285036.tif 000006
【図５】
2007285036.tif 000007
【図６】
2007285036.tif 000008
【図７】
2007285036.tif 000009